(57)【要約】【課題】音声信号処理装置において、電源から供給される電圧が低下したときにノイズ音が発生するのを防止する。【解決手段】音声信号処理装置１は、減電検出部３と、アンプ５と、時定数切換回路６と、コンデンサ７、８とを備える。減電回路部５は、電圧の低下を検出すると、リセット信号ライン２１にローレベルのリセット信号を出力する。時定数切換回路６は、切換制御ライン２６の電圧がローレベルになると、時定数設定ライン２５にコンデンサ８を接続する。切換制御ライン２６は、リセット信号ライン２１に接続されている。減電検出部３が電圧の低下を検出すると、ローレベルのリセット信号によって、切換制御ライン２６の電圧がローレベルになり、時定数切換回路６がコンデンサ８を時定数設定ライン２５に接続する。これにより、アンプ５がソフトミュートを行うときのソフトミュート時間が、通常時のソフトミュート時間よりも短い時間に切換えられる。【選択図】図１
2013236118.tif 000002
【特許請求の範囲】
【請求項１】
少なくとも２つ以上の時定数の中から選択された時定数に基づいて音声信号の音声出力を漸次的に減衰するソフトミュート手段と、
電源から供給される供給電力の低下を検出する減電検出手段と、
前記減電検出手段が前記供給電力の低下を検出したときに、前記検出前よりも小さな時定数となるように前記時定数を選択するソフトミュート時定数選択手段と、を備える音声信号処理装置。
【請求項２】
前記減電検出手段が前記供給電力の低下を検出したときに出力する信号を用いて、前記ソフトミュート手段と前記ソフトミュート時定数選択手段が実行されることを特徴とする、請求項１に記載の音声信号処理装置。
【請求項３】
前記減電検出手段が前記供給電力の低下を検出したときに、前記音声信号が入力される増幅器の音声信号入力端子を中間電位にするための中間電位入力手段をさらに備えることを特徴とする、請求項１又は請求項２に記載の音声信号処理装置。
【請求項４】
音声信号処理装置であって、
電力供給を受けて所定の駆動電圧を生成する電源回路部と、
前記電源回路部から出力される前記駆動電圧の低下を検出する減電検出部と、
音声信号を出力する制御部と、
前記制御部から出力された前記音声信号を入力し、前記音声信号を増幅する増幅部と、
前記増幅部に接続され、前記増幅された音声信号を出力するための音声出力部と、
前記増幅部に接続され、少なくとも２つ以上の時定数から所定の時定数を選択するための時定数選択部と、を備え、
前記増幅部は、前記時定数選択部で選択された前記時定数に基づいて前記音声信号の前記音声出力を漸次的に減衰するためのソフトミュート手段をさらに有し、
前記時定数選択部は、前記減電検出部が前記駆動電圧の低下を検出したときに、前記検出前よりも小さな時定数となるように前記時定数を選択する、音声信号処理装置。
【発明の詳細な説明】
【技術分野】
【０００１】
本発明は、例えばテレビジョン受像機等に用いられ、スピーカにより音声を出力するための音声信号処理装置に関するものである。
【背景技術】
【０００２】
従来から、音声信号処理装置は、音声信号を増幅するアンプを備えており、音声信号をアンプにより増幅してスピーカに出力するようになっている。また、このような音声信号処理装置において、ソフトミュートと呼ばれる処理を行うものがある。ソフトミュートとは、音声信号の出力レベルを徐々に小さくして所定のレベル（所定のレベルとは、スピーカから出力される音声が聞き取れないレベルであって、例えば０）にする処理である。ソフトミュートは、例えば、チューナから出力される音声信号による音声をスピーカに出力する状態と、ＤＶＤローダから出力される音声信号による音声をスピーカから出力する状態とを切り替えるときに行われる。ソフトミュートは、アンプにおける音声信号の増幅率を徐々に小さくして０にすることにより行われる。このような音声信号処理装置としては、図３に示す構成のものが知られている。
【０００３】
図３に示す音声信号処理装置６０において、電源回路６１は、ＡＣコンセント６１ａが商用ＡＣ電源９０に接続されることにより、商用ＡＣ電源９０からＡＣコンセント６１ａを介して交流電圧が供給され、その供給された交流電圧から音声信号処理装置６０を動作させるための駆動電圧を生成する。電源回路６１により生成された駆動電圧は、音声信号処理装置６０の各部に供給される。減電検出部６２は、商用ＡＣ電源９０から供給される電圧の低下を検出すると、リセット信号ライン７１にローレベルのリセット信号（商用ＡＣ電源９０から供給される電圧の低下を検出したことを示す信号）を出力する。
【０００４】
ＳｏＣ６３は、種々の回路を１つのチップに集積化したものであり、音声信号を処理する音声信号処理回路や、音声信号処理装置６０の動作を制御する制御回路を含んでいる。ＳｏＣ６３は、チューナ（不図示）やＤＶＤローダ（不図示）から音声信号が入力されるようになっており、これらチューナやＤＶＤローダから入力された音声信号を処理し、その音声信号を音声信号供給端子７２Ｌ、７２Ｒから音声信号供給ライン７３Ｌ、７３Ｒに出力する。このとき、ＳｏＣ６３は、音声信号供給端子７２Ｌ、７２Ｒから出力する音声信号として、所定の電圧（例えば１．６５ｖ）を音声信号の基準レベルとし、この基準レベルを振幅中心とする音声信号を出力する。音声信号供給端子７２Ｌ、７２Ｒから出力された音声信号は、フィルタ７４Ｌ、７４Ｒ及びコンデンサ７５Ｌ、７５Ｒを通って、アンプ６４の音声信号入力端子７６Ｌ、７６Ｒに入力される。
【０００５】
アンプ６４は、音声信号入力端子７６Ｌ、７６Ｒに入力された音声信号を増幅（音声信号の出力レベルを調整）して、その増幅した音声信号を音声信号出力端子７７Ｌ、７７Ｒから音声信号出力ライン７８Ｌ、７８Ｒに出力する。音声信号出力端子７７Ｌ、７７Ｒから出力された音声信号は、スピーカ７９Ｌ、７９Ｒに供給され、スピーカ７９Ｌ、７９Ｒから音声が出力される。
【０００６】
また、ＳｏＣ６３は、アンプ６４にソフトミュートを行わせるときに、ミュート信号出力端子８１からミュート信号ライン８２にハイレベルのミュート信号を出力する。ミュート信号出力端子８１からミュート信号ライン８２に出力されたミュート信号は、反転回路８３によって電圧レベルが反転される。従って、ミュート信号出力端子８１からミュート信号ライン８２に出力されたハイレベルのミュート信号は、反転回路８３を通って、ローレベルのミュート信号になって、アンプ６４のミュート信号入力端子８４に入力される。
【０００７】
アンプ６４は、ミュート信号入力端子８４にローレベルのミュート信号が入力されると、音声信号入力端子７６Ｌ、７６Ｒに入力された音声信号に対してソフトミュートを行い、音声信号出力端子７７Ｌ、７７Ｒから出力する音声信号の出力レベルを徐々に小さくして所定のレベルにする。このとき、アンプは、ソフトミュート時間をかけて、音声信号の出力レベルを徐々に小さくして所定のレベルにする。ソフトミュート時間とは、ソフトミュートを行うときに音声信号の出力レベルを徐々に小さくし始めてから所定のレベルにし終えるまでの時間であり、ソフトミュートの開始から完了までの時間である。ソフトミュート時間は、時定数設定端子８５に入力される電圧に基いて、すなわち、時定数設定端子８５に接続されているコンデンサ８６の静電容量により決定される。
【０００８】
一方、電源電圧の降下を検出すると、電源オフ検出信号をＣＰＵに出力する瞬断検出回路部と、瞬断検出回路部から電源オフ検出信号が入力されると、音声信号処理回路部に対して消音処理制御信号を出力するＣＰＵとを備え、瞬断検出回路部が電源電圧の降下を検出したときに、ＣＰＵが音声信号処理回路部に対して消音処理制御信号を出力することにより、音声出力の消音処理がなされるようにした音声信号処理装置が知られている（例えば特許文献１参照）。
【先行技術文献】
【特許文献】
【０００９】
【特許文献１】特開平４−２２００９３号公報
【発明の概要】
【発明が解決しようとする課題】
【００１０】
ところで、上述した従来の電源回路６０においては、ＡＣコンセント６１ａが商用ＡＣ電源９０から抜かれるなどして、商用ＡＣ電源９０から供給される電圧が低下すると、ＳｏＣ６３のリセット信号入力端子８７にローレベルのリセット信号が入力され、ＳｏＣ６３が動作を停止する。このようにＳｏＣ６３が動作を停止すると、音声信号供給端子７２Ｌ、７２Ｒから出力される電圧は０ｖとなり、ミュート信号出力端子８１から出力される電圧も０ｖ（ローレベル）となる。
【００１１】
このとき、アンプ６４の音声信号入力端子７６Ｌ、７６Ｒへの入力電圧が急峻に低下し、これにより、スピーカ７９Ｌ、７９Ｒからポップ音（ノイズ音）が出力されてしまう。商用ＡＣ電源９０から供給される電圧が低下すると、電源回路６１から反転回路８３に供給される駆動電圧も低下して、反転回路８３が動作しなくなる。これにより、アンプ６４のミュート信号入力端子８４に入力される電圧が０ｖ（ローレベル）になって（ミュート信号入力端子８４にローレベルのミュート信号が入力されて）、アンプ６４がソフトミュートを行うことになる。しかし、ソフトミュートが完了するまで（音声信号の出力レベルを所定のレベルにし終えるまで）には時間がかかるため、上記のポップ音は、ソフトミュートにより消音されずに、スピーカ７９Ｌ、７９Ｒから出力されてしまう。なお、上述した特許文献１に開示の内容を適用したとしても、上記の問題を解決することはできない。
【００１２】
本発明は、上記課題を解決するためになされたものであり、電源から供給される電圧が低下したときにノイズ音が発生するのを防止することができる音声信号処理装置を提供することを目的とする。
【課題を解決するための手段】
【００１３】
上記目的を達成するために請求項１の発明は、少なくとも２つ以上の時定数の中から選択された時定数に基づいて音声信号の音声出力を漸次的に減衰するソフトミュート手段と、電源から供給される供給電力の低下を検出する減電検出手段と、前記減電検出手段が前記供給電力の低下を検出したときに、前記検出前よりも小さな時定数となるように前記時定数を選択するソフトミュート時定数選択手段と、を備える音声信号処理装置である。
【００１４】
請求項２の発明は、請求項１に記載の音声信号処理装置において、前記減電検出手段が前記供給電力の低下を検出したときに出力する信号を用いて、前記ソフトミュート手段と前記ソフトミュート時定数選択手段が実行されるものである。
【００１５】
請求項３の発明は、請求項１に記載の音声信号処理装置において、前記減電検出手段が前記供給電力の低下を検出したときに、前記音声信号が入力される増幅器の音声信号入力端子を中間電位にする中間電位手段をさらに備えるものである。
【００１６】
請求項４の発明は、音声信号処理装置であって、電力供給を受けて所定の駆動電圧を生成する電源回路部と、前記電源回路部から出力される前記駆動電圧の低下を検出する減電検出部と、音声信号を出力する制御部と、前記制御部から出力された前記音声信号を入力し、前記音声信号を増幅する増幅部と、前記増幅部に接続され、前記増幅された音声信号を出力するための音声出力部と、前記増幅部に接続され、少なくとも２つ以上の時定数から所定の時定数を選択するための時定数選択部と、を備え、前記増幅部は、前記時定数選択部で選択された前記時定数に基づいて前記音声信号の前記音声出力を漸次的に減衰するためのソフトミュート手段をさらに有し、前記時定数選択部は、前記減電検出部が前記駆動電圧の低下を検出したときに、前記検出前よりも小さな時定数となるように前記時定数を選択する、音声信号処理装置である。
【発明の効果】
【００１７】
請求項１乃至請求項４の発明によれば、電源から供給される電圧が低下すると、ソフトミュート時間が通常時のソフトミュート時間よりも短い時間に切換えられる。これにより、電源から供給される電圧が低下して、ノイズ音の原因となる信号がアンプの音声信号入力端子に入力されても、ノイズ音が発生するのを防止することができる。
【図面の簡単な説明】
【００１８】
【図１】本発明の第１の実施形態に係る音声信号処理装置の概略構成を示す電気回路図。
【図２】本発明の第２の実施形態に係る音声信号処理装置の概略構成を示す電気回路図。
【図３】従来の音声信号処理装置の構成を示す電気回路図。
【発明を実施するための形態】
【００１９】
以下、本発明を具体化した実施形態による音声信号処理装置について図面を参照して説明する。
＜第１の実施形態＞
まず、第１の実施形態による音声信号処理装置について説明する。図１は、第１の実施形態による音声信号処理装置の構成を示す。音声信号処理装置１は、例えばテレビジョン受像機等に用いられ、スピーカ１０Ｌ、１０Ｒにより音声を出力するための装置である。音声信号処理装置１は、電源回路２と、減電検出部３と、ＳｏＣ４と、アンプ５と、時定数切換回路６と、コンデンサ７、８と、トランジスタ９等を備えている。
【００２０】
電源回路２は、電力供給を受けて所定の駆動電圧を生成する回路であって、音声信号処理装置１を動作させるための駆動電圧を生成する回路である。電源回路２は、ＡＣコンセント２ａが商用ＡＣ電源９０に接続されることにより、商用ＡＣ電源９０からＡＣコンセント２ａを介して交流電圧が供給され、その供給された交流電圧から駆動電圧を生成する。電源回路２により生成された駆動電圧は、音声信号処理装置１の各部に供給される。
【００２１】
減電検出部３は、商用ＡＣ電源９０から供給される電圧（電源回路２から出力される駆動電圧）の低下を検出するものである。減電検出部３は、商用ＡＣ電源９０から供給される電圧が低下したか否かを検出し、その検出結果（商用ＡＣ電源９０から供給される電圧が低下したか否か）を示すリセット信号をリセット信号ライン２１に出力する。すなわち、減電回路部５は、商用ＡＣ電源９０から供給される電圧の低下を検出していないときには、リセット信号ライン２１にハイレベルのリセット信号を出力し（リセット信号ライン２１に出力する電圧をハイレベルにし）、商用ＡＣ電源９０から供給される電圧の低下を検出したときには、リセット信号ライン２１にローレベルのリセット信号（商用ＡＣ電源９０から供給される電圧の低下を検出したことを示す信号）を出力する（リセット信号ライン２１に出力する電圧をローレベルにする）。
【００２２】
ＳｏＣ４は、種々の回路を１つのチップに集積化したものであり、音声信号を処理する音声信号処理回路や、音声信号処理装置１の動作を制御する制御回路を含んでいる。ＳｏＣ４は、音声信号供給端子４１Ｌ、４１Ｒと、ミュート信号出力端子４２と、リセット信号入力端子４３とを有している。音声信号供給端子４１Ｌ、４１Ｒは、音声信号供給ライン２２Ｌ、２２Ｒに接続されている。ミュート信号出力端子４２は、ミュート信号ライン２３に接続されている。リセット信号入力端子４３は、リセット信号ライン２１に接続されている。ＳｏＣ４によって、制御部が構成されている。
【００２３】
ＳｏＣ４は、チューナ（不図示）やＤＶＤローダ（不図示）から音声信号が入力されるようになっており、これらチューナやＤＶＤローダから入力された音声信号を処理し、その音声信号を音声信号供給端子４１Ｌ、４１Ｒから音声信号供給ライン２２Ｌ、２２Ｒに出力する。ＳｏＣ４は、音声信号供給端子４１Ｌ、４１Ｒから出力する音声信号として、デジタルの音声信号を出力する。また、ＳｏＣ４は、音声信号供給端子４１Ｌ、４１Ｒから出力する音声信号として、所定の電圧（例えば１．６５ｖ）を音声信号の基準レベルとし、この基準レベルを振幅中心とする音声信号を出力する。すなわち、音声信号供給端子４１Ｌ、４１Ｒから出力される電圧は、音声信号のレベルが０のときには、所定の電圧（音声信号の基準レベル）に保たれ、音声信号のレベルが０でないときには、所定の電圧（音声信号の基準レベル）を中心として音声信号のレベルに応じて振幅（上下に変動）する電圧となる。
【００２４】
音声信号供給ライン２２Ｌ、２２Ｒ上には、フィルタ１１Ｌ、１１Ｒ及びコンデンサ１２Ｌ、１２Ｒが接続されている。フィルタ１１Ｌは、音声信号供給端子４１Ｌとコンデンサ１２Ｌとの間における音声信号供給ライン２２Ｌ上に接続されている。フィルタ１１Ｒは、音声信号供給端子４１Ｒとコンデンサ１２Ｒとの間における音声信号供給ライン２２Ｒ上に接続されている。音声信号供給端子４１Ｌ、４１Ｒから出力されたデジタルの音声信号は、フィルタ１１Ｌ、１１Ｒによってアナログの音声信号となり、コンデンサ１２Ｌ、１２Ｒにより直流変動成分がカットされる。
【００２５】
また、ＳｏＣ４は、アンプ５によるソフトミュートを制御するためのミュート信号をミュート信号出力端子４２からミュート信号ライン２３に出力する。ソフトミュートとは、音声信号の出力レベルを徐々に小さくして所定のレベル（所定のレベルとは、スピーカ１０Ｌ、１０Ｒから出力される音声が聞き取れないレベルであって、例えば０）にする処理である。ソフトミュートは、例えば、チューナから出力される音声信号による音声をスピーカ１０Ｌ、１０Ｒに出力する状態と、ＤＶＤローダから出力される音声信号による音声をスピーカ１０Ｌ、１０Ｒから出力する状態とを切り替えるときに行われる。
【００２６】
ＳｏＣ４は、アンプ５にソフトミュートを行わせないときに、ミュート信号出力端子４２からローレベルのミュート信号を出力し（ミュート信号出力端子４２から出力する電圧をローレベルにし）、アンプ５にソフトミュートを行わせるときに、ミュート信号出力端子４２からハイレベルのミュート信号を出力する（ミュート信号出力端子４２から出力する電圧をハイレベルにする）。
【００２７】
ミュート信号ライン２３上には、反転回路１３が接続されている。ミュート信号出力端子４２からミュート信号ライン２３に出力されたミュート信号は、反転回路１３によって電圧レベルが反転される。従って、ミュート信号出力端子４２からミュート信号ライン２３に出力されたローレベルのミュート信号は、反転回路１３を通って、ハイレベルのミュート信号になり、ミュート信号出力端子４２からミュート信号ライン２３に出力されたハイレベルのミュート信号は、反転回路１３を通って、ローレベルのミュート信号になる。
【００２８】
ＳｏＣ４は、リセット信号入力端子４３にハイレベルのリセット信号が入力されているとき（リセット信号入力端子４３に入力される電圧がハイレベルのとき）に、動作して、音声信号の処理や、音声信号供給端子４１Ｌ、４１Ｒからの音声信号の出力、ミュート信号出力端子４２からのミュート信号の出力等を行う。そして、ＳｏＣ４は、リセット信号入力端子４３にローレベルのリセット信号が入力されると（リセット信号入力端子４３に入力される電圧がローレベルになると）、動作を停止して、音声信号の処理や、音声信号供給端子４１Ｌ、４１Ｒからの音声信号の出力、ミュート信号出力端子４２からのミュート信号の出力等を停止する。ＳｏＣ４が動作を停止すると、音声信号供給端子４１Ｌ、４１Ｒから出力される電圧は０ｖとなり、ミュート信号出力端子４２から出力される電圧も０ｖ（ローレベル）となる。
【００２９】
アンプ５は、ＳｏＣ４から出力された音声信号を入力し、音声信号を増幅する増幅部であり、スピーカ１０Ｌ、１０Ｒに出力する音声信号の出力レベルを調整するものである。アンプ５は、音声信号入力端子５１Ｌ、５１Ｒと、音声信号出力端子５２Ｌ、５２Ｒと、ミュート信号入力端子（制御信号入力端子）５３と、時定数設定端子５４とを有している。ミュート信号入力端子５３は、ソフトミュート手段を実行させるための制御信号入力端子である。音声信号入力端子５１Ｌ、５１Ｒは、音声信号供給ライン２２Ｌ、２２Ｒに接続されている。音声信号出力端子５２Ｌ、５２Ｒは、音声信号出力ライン２４Ｌ、２４Ｒに接続されている。ミュート信号入力端子５３は、ミュート信号ライン２３に接続されている。時定数設定端子５４は、時定数設定ライン２５に接続されている。
【００３０】
アンプ５は、音声信号供給ライン２２Ｌ、２２Ｒから音声信号入力端子５１Ｌ、５１Ｒに入力された音声信号を増幅（音声信号の出力レベルを調整）して、その増幅した音声信号を音声信号出力端子５２Ｌ、５２Ｒから音声信号出力ライン２４Ｌ、２４Ｒに出力する。音声信号出力ライン２４Ｌ、２４Ｒは、スピーカ１０Ｌ、１０Ｒに接続されている。スピーカ１０Ｌ、１０Ｒは、音声信号出力ライン２４Ｌ、２４Ｒを介してアンプ５に接続され、増幅された音声信号を出力するための音声出力部である。音声信号出力端子５２Ｌ、５２Ｒから出力された音声信号は、スピーカ１０Ｌ、１０Ｒに供給され、音声信号出力端子５２Ｌ、５２Ｒから出力された音声信号による音声がスピーカ１０Ｌ、１０Ｒから出力される。
【００３１】
アンプ５は、ミュート信号入力端子５３にハイレベルのミュート信号が入力されているとき（ミュート信号入力端子５３に入力される電圧がハイレベルのとき）には、音声信号入力端子５１Ｌ、５１Ｒに入力された音声信号に対してソフトミュートを行わない。すなわち、アンプ５は、ミュート信号入力端子５３にハイレベルのミュート信号が入力されているときには、音声信号入力端子５１Ｌ、５１Ｒに入力された音声信号を所定の増幅率で増幅して、その増幅した音声信号を音声信号出力端子５２Ｌ、５２Ｒから出力する。
【００３２】
また、アンプ５は、ミュート信号ライン２３からミュート信号入力端子５３にローレベルのミュート信号（ソフトミュートを行うことを指令する信号）が入力されると（ミュート信号入力端子５３に入力される電圧がローレベルになると）、音声信号入力端子５１Ｌ、５１Ｒに入力された音声信号に対してソフトミュートを行う。すなわち、アンプ５は、ミュート信号入力端子５３にローレベルのミュート信号が入力されると、音声信号出力端子５２Ｌ、５２Ｒから出力する音声信号の出力レベルを徐々に小さくして所定のレベルにする。
【００３３】
アンプ５は、音声信号の増幅率を徐々に小さくして０にすることにより、ソフトミュートを行う。つまり、アンプ５は、ミュート信号入力端子５３にローレベルのミュート信号が入力されると、音声信号の増幅率を０まで徐々に小さくしていき、音声信号入力端子５１Ｌ、５１Ｒに入力された音声信号をその増幅率（０まで徐々に小さくしていく増幅率）で増幅して、その増幅した音声信号を音声信号出力端子５２Ｌ、５２Ｒから出力する。このとき、アンプ５は、時定数設定ライン２５から時定数設定端子５４に入力される電圧に基いて、音声信号の出力レベルを徐々に小さくして所定のレベルにする（音声信号の増幅率を０まで徐々に小さくしていく）。アンプ５は、時定数選択部で選択された時定数に基づいて音声信号の音声出力を漸次的に減衰するためのソフトミュート手段を有する。ソフトミュート手段は、少なくとも２つ以上の時定数の中から選択された時定数に基づいて音声信号の音声出力を漸次的に減衰する。
【００３４】
時定数切換回路６は、時定数設定ライン２５にコンデンサ７とコンデンサ８のいずか一方を選択的に接続するための回路であって、アンプ５がソフトミュートを行うときのソフトミュート時間を設定するための回路である。ソフトミュート時間とは、ソフトミュートを行うときに音声信号の出力レベルを徐々に小さくし始めてから所定のレベルにし終えるまで（音声信号の増幅率を小さくし始めてから０にするまで）の時間である。
【００３５】
時定数切換回路６は、時定数設定ライン２５とコンデンサ７、８の間に接続されている。時定数切換回路６は、切換制御端子５９を有している。切換制御端子５９は、ソフトミュート時定数選択手段を実行させるための制御信号入力端子である。時定数切換回路６は、切換制御端子５９に切換制御ライン２６が接続されており、切換制御ライン２６から切換制御端子５９に入力される電圧に応じて、時定数設定ライン２５にコンデンサ７とコンデンサ８のいずか一方を接続する。すなわち、時定数切換回路６は、切換制御ライン２６から入力される電圧がハイレベルのときには、時定数設定ライン２５にコンデンサ７を接続する。また、時定数切換回路６は、切換制御ライン２６から入力される電圧がローレベルのときには、時定数設定ライン２５にコンデンサ８を接続する。
【００３６】
アンプ５は、時定数設定端子５４を抵抗（アンプ５内の抵抗）を介してグランドに接続する回路（つまり、時定数設定ライン２５に接続されているコンデンサ７又はコンデンサ８を、時定数設定ライン２５、時定数設定端子５４、及び抵抗を介して放電する回路）を有している。
【００３７】
アンプ５は、ソフトミュートを開始するとき（ミュート信号入力端子５３にローレベルのミュート信号が入力されたとき）に、時定数設定端子５４を抵抗を介してグランドに接続する。これにより、時定数設定ライン２５に接続されているコンデンサ７又はコンデンサ８は、時定数設定ライン２５、時定数設定端子５４、抵抗を介して放電され、時定数設定ライン２５から時定数設定端子５４に入力される電圧は、時間の経過につれて徐々に低下していく。なお、コンデンサ７、８は、ソフトミュートを行っていない所定のタイミングで充電され、ソフトミュートを行っていないときには、充電された状態に保たれている。
【００３８】
そして、アンプ５は、ソフトミュートにおいて、時定数設定端子５４に入力される電圧に基いて、時定数設定端子５４に入力される電圧の低下率と同じ低下率で、音声信号の出力レベルを小さくしていく（音声信号の増幅率を小さくしていく）。これにより、時定数設定ライン２５に接続されているコンデンサ７又はコンデンサ８が放電を開始してから放電を完了するまでの時間をかけて、音声信号の出力レベルが徐々に小さくなって所定のレベルになる（音声信号の増幅率が徐々に小さくなって０になる）。
【００３９】
すなわち、アンプ５がソフトミュートを行うときのソフトミュート時間（音声信号の出力レベルを徐々に小さくし始めてから所定のレベルにし終えるまでの時間）は、時定数設定ライン２５に接続されているコンデンサ７又はコンデンサ８が放電を開始してから放電を完了するまでの時間に対応する。ここで、時定数設定ライン２５に接続されているコンデンサ７又はコンデンサ８が放電を開始してから放電を完了するまでの時間は、時定数設定ライン２５に接続されているコンデンサ７又はコンデンサ８の静電容量と抵抗の抵抗値から定まる時定数により決定される。そして、この時定数は、時定数設定ライン２５に接続されているコンデンサ７又はコンデンサ８の静電容量によって異なる。従って、アンプ５がソフトミュートを行うときのソフトミュート時間は、時定数設定ライン２５にコンデンサ７とコンデンサ８のいずれを接続しているかによって、異なる時間になる。
【００４０】
つまり、アンプ５がソフトミュートを行うときのソフトミュート時間は、時定数設定ライン２５にコンデンサ７とコンデンサ８のいずれを接続しているかによって、異なる時間に設定されることになる。そして、アンプ５は、この設定されたソフトミュート時間によるソフトミュートを行う（設定されたソフトミュート時間をかけて、音声信号の出力レベルを徐々に小さくして所定のレベルにする）ことになる。
【００４１】
コンデンサ８の静電容量は、コンデンサ７の静電容量よりも小さく、時定数設定ライン２５にコンデンサ８を接続しているときの時定数は、時定数設定ライン２５にコンデンサ７を接続しているときの時定数よりも小さい。従って、時定数設定ライン２５にコンデンサ８を接続していることにより設定されるソフトミュート時間は、時定数設定ライン２５にコンデンサ７を接続していることにより設定されるソフトミュート時間よりも短い。切換制御ライン２６は、リセット信号ライン２１に接続されている。
【００４２】
トランジスタ９は、商用ＡＣ電源９０から供給される電圧が低下したときに、（ＳｏＣ４からの制御によらずに）ミュート信号ライン２３に接続されている反転回路１３にハイレベルの電圧を入力するためのものである。トランジスタ９は、ＰＮＰ型の接合形トランジスタであり、エミッタが電圧入力ライン２７に接続されており、コレクタが減電時信号ライン２８に接続されており、ベースがトランジスタ制御ライン２９に接続されている。電圧入力ライン２７は、電源ライン２０ａ（電源回路２により生成された駆動電圧が供給されるライン）に接続されている。減電時信号ライン２８は、ＳｏＣ４のミュート信号出力端子４２と反転回路１３との間におけるミュート信号ライン２３に接続されている。トランジスタ制御ライン２９は、リセット信号ライン２１に接続されている。
【００４３】
このような構成において、通常時（減電検出部３が商用ＡＣ電源９０から供給される電圧の低下を検出していないとき）には、ハイレベルのリセット信号（減電検出部３が商用ＡＣ電源９０から供給される電圧の低下を検出していないときに出力する信号）がリセット信号ライン２１から切換制御ライン２６を経由して時定数切換回路６に入力されている。すなわち、切換制御ライン２６から時定数切換回路６に入力される電圧がハイレベルになっている。これにより、時定数切換回路６がコンデンサ７を時定数設定ライン２５に接続しており、ソフトミュート時間として、コンデンサ７を時定数設定ライン２５に接続していることによるソフトミュート時間が設定されている。コンデンサ７を時定数設定ライン２５に接続していることにより設定されるソフトミュート時間が通常時のソフトミュート時間である。すなわち、通常時には、ハイレベルのリセット信号を用いて、ソフトミュート時間が通常時のソフトミュート時間に設定されている。
【００４４】
そして、減電時（減電検出部３が商用ＡＣ電源９０から供給される電圧の低下を検出したとき）には、ローレベルのリセット信号（減電検出部３が商用ＡＣ電源９０から供給される電圧の低下を検出したときに出力する信号）がリセット信号ライン２１から切換制御ライン２６を経由して時定数切換回路６に入力される。すなわち、切換制御ライン２６から時定数切換回路６に入力される電圧がローレベルになる。これにより、時定数切換回路６がコンデンサ８を時定数設定ライン２５に接続し（コンデンサ７を時定数設定ライン２５に接続している状態から、コンデンサ８を時定数設定ライン２５に接続する状態に切換え）、ソフトミュート時間として、コンデンサ８を時定数設定ライン２５に接続していることによるソフトミュート時間が設定される。コンデンサ８を時定数設定ライン２５に接続していることにより設定されるソフトミュート時間が減電時のソフトミュート時間である。上述のように、コンデンサ８を時定数設定ライン２５に接続していることにより設定されるソフトミュート時間は、コンデンサ７を時定数設定ライン２５に接続していることにより設定されるソフトミュート時間よりも短い。従って、減電時のソフトミュート時間は、通常時のソフトミュート時間よりも短い時間である。すなわち、減電時には、ローレベルのリセット信号を用いて、ソフトミュート時間が通常時のソフトミュート時間よりも短い時間に切換えられる。時定数切換回路６、コンデンサ７、８、及び切換制御ライン２６によって、ソフトミュート時定数選択手段が構成されている。ソフトミュート時定数選択手段は、減電検出部３が供給電力の低下を検出したときに、検出前よりも小さな時定数となるように時定数を選択する。時定数切換回路６、コンデンサ７、８、及び切換制御ライン２６によって、時定数選択部が構成されている。時定数選択部は、アンプ５に接続され、少なくとも２つ以上の時定数から所定の時定数を選択する。時定数選択部は、減電検出部３が駆動電圧の低下を検出したときに、検出前よりも小さな時定数となるように時定数を選択する。
【００４５】
また、通常時には、ハイレベルのリセット信号がリセット信号ライン２１からトランジスタ制御ライン２９を経由してトランジスタ９のベースに入力されている。すなわち、トランジスタ制御ライン２９からトランジスタ９のベースに入力される電圧がハイレベルになっている。これにより、トランジスタ９がオフ（非導通状態）になっていて、減電時信号ライン２８が電圧入力ライン２７から（電源ライン２０ａから）切断されている。従って、ＳｏＣ４のミュート信号出力端子４２からローレベルのミュート信号が出力されると、反転回路１３を通って、アンプ５のミュート信号入力端子５３にハイレベルのミュート信号が入力され、ＳｏＣ４のミュート信号出力端子４２からハイレベルのミュート信号が出力されると、反転回路１３を通って、アンプ５のミュート信号入力端子５３にローレベルのミュート信号（ソフトミュートを行うことを指令する信号）が入力される。すなわち、通常時には、ハイレベルのリセット信号を用いて、ＳｏＣ４によるソフトミュートの制御が可能な状態にされている。
【００４６】
そして、減電時には、ローレベルのリセット信号がリセット信号ライン２１からトランジスタ制御ライン２９を経由してトランジスタ９のベースに入力される。すなわち、トランジスタ制御ライン２９からトランジスタ９のベースに入力される電圧がローレベルになる。これにより、トランジスタ９がオン（導通状態）になって、減電時信号ライン２８が電圧入力ライン２７から（電源ライン２０ａから）接続される。従って、電源ライン２０ａからの電圧が電圧入力ライン２７、減電時信号ライン２８、ミュート信号ライン２３を経由して反転回路１３に入力され、ＳｏＣ４のミュート信号出力端子４２から出力されるミュート信号（電圧）に関わらず、アンプ５のミュート信号入力端子５３にローレベルのミュート信号（ソフトミュートを行うことを指令する信号）が入力される。すなわち、減電時には、ローレベルのリセット信号を用いて（ＳｏＣ４からの制御によらずに）、アンプ５のミュート信号入力端子５３にローレベルのミュート信号（ソフトミュートを行うことを指令する信号）が入力されて、アンプ５によりソフトミュートが行われる。トランジスタ９、電圧入力ライン２７、減電時信号ライン２８、及びトランジスタ制御ライン２９によって、減電時ソフトミュート実行手段が構成されている。
【００４７】
減電検出部３が前記供給電力の低下を検出したときに出力する信号を用いた信号が、アンプ５の（ソフトミュート手段の）時定数設定端子５４に入力される。減電検出部３が前記供給電力の低下を検出したときに出力する信号が、時定数切換回路６の（ソフトミュート時定数選択手段の）切換制御端子５９に入力される。減電検出部３が供給電力の低下を検出したときに出力する信号を用いて、ソフトミュートとソフトミュート時定数の選択が実行される。
【００４８】
本実施形態の音声信号処理装置１によれば、商用ＡＣ電源９０から供給される電圧が低下すると、ソフトミュート時間が通常時のソフトミュート時間よりも短い時間に切換えられる。これにより、商用ＡＣ電源９０から供給される電圧が低下して、ノイズ音の原因となる信号がアンプ５の音声信号入力端子５１Ｌ、５１Ｒに入力されても、ノイズ音が発生するのを防止することができる。
【００４９】
しかも、本実施形態の音声信号処理装置１によれば、商用ＡＣ電源９０から供給される電圧が低下すると、リセット信号によって、アンプ５のミュート信号入力端子５３にローレベルのミュート信号（ソフトミュートを行うことを指令する信号）が入力されて、アンプ５によりソフトミュートが行われる。これにより、商用ＡＣ電源９０から供給される電圧が低下して、ＳｏＣ４によるソフトミュートの制御が不能になっても、アンプ５によりソフトミュートが行われ、ノイズ音が発生するのを防止することができる。
【００５０】
＜第２の実施形態＞
次に、第２の実施形態による音声信号処理装置について説明する。図２は、第２の実施形態による音声信号処理装置の構成を示す。本実施形態の音声信号処理装置１は、上記第１の実施形態におけるトランジスタ９を備えていない。そして、本実施形態の音声信号処理装置１は、上記第１の実施形態の構成に加え、スイッチ１４Ｌ、１４Ｒと、分圧回路１５をさらに備えている。本実施形態における他の構成、他の動作については、上記第１の実施形態と同様である。
【００５１】
スイッチ１４Ｌ、１４Ｒは、商用ＡＣ電源９０から供給される電圧が低下したときに、音声信号供給ライン２２Ｌ、２２Ｒを切断するためのものである。スイッチ１４Ｌは、フィルタ１１Ｌとコンデンサ１２Ｌとの間における音声信号供給ライン２２Ｌ上に接続されている。スイッチ１４Ｒは、フィルタ１１Ｒとコンデンサ１２Ｒとの間における音声信号供給ライン２２Ｒ上に接続されている。スイッチ１４Ｌ、１４Ｒは、スイッチ制御ライン３１が接続されており、スイッチ制御ライン３１から入力される電圧に応じて、開閉する（非導通状態と導通状態とに切換わる）。すなわち、スイッチ１４Ｌ、１４Ｒは、スイッチ制御ライン３１から入力される電圧がハイレベルのときに、閉じ（導通状態になり）、スイッチ制御ライン３１から入力される電圧がローレベルのときに、開く（非導通状態になる）。
【００５２】
分圧回路１５は、音声信号供給ライン２２Ｌ、２２Ｒが切断されたときに、アンプ５の音声信号入力端子５１Ｌ、５１Ｒを中間電位にするためのものである。中間電位とは、通常時において音声信号入力端子５１Ｌ、５１Ｒに入力される音声信号の振幅中心レベルの電圧（音声信号の基準レベルの電圧であって、音声信号のレベルが０のときに入力される電圧（例えば１．６５ｖ））である。
【００５３】
分圧回路１５は、抵抗１６、１７、１８、１９を有している。抵抗１６は、一端側が電源ライン２０ｂ（電源回路２により生成された駆動電圧が供給されるライン）に接続されており、他端側がコンデンサ１２Ｌとアンプ５の音声信号入力端子５１Ｌとの間における音声信号供給ライン２２Ｌに接続されている。抵抗１７は、一端側がコンデンサ１２Ｌとアンプ５の音声信号入力端子５１Ｌとの間における音声信号供給ライン２２Ｌに接続されており、他端側がグランドに接続されている。抵抗１８は、一端側が電源ライン２０ｂに接続されており、他端側がコンデンサ１２Ｒとアンプ５の音声信号入力端子５１Ｒとの間における音声信号供給ライン２２Ｒに接続されている。抵抗１９は、一端側がコンデンサ１２Ｒとアンプ５の音声信号入力端子５１Ｒとの間における音声信号供給ライン２２Ｒに接続されており、他端側がグランドに接続されている。
【００５４】
抵抗１６の抵抗値と抵抗１７の抵抗値は同じである。抵抗１８の抵抗値と抵抗１９の抵抗値は同じである。電源ライン２０ｂには、駆動電圧として、中間電位（音声信号の振幅中心レベル）の２倍の電圧値の電圧（例えば３．３ｖ）が供給される。
【００５５】
このような構成において、通常時（減電検出部３が商用ＡＣ電源９０から供給される電圧の低下を検出していないとき）には、ハイレベルのリセット信号（減電検出部３が商用ＡＣ電源９０から供給される電圧の低下を検出していないときに出力する信号）がリセット信号ライン２１からスイッチ制御ライン３１を経由してスイッチ１４Ｌ、１４Ｒに入力されている。すなわち、スイッチ制御ライン３１からスイッチ１４Ｌ、１４Ｒに入力される電圧がハイレベルになっている。これにより、スイッチ１４Ｌ、１４Ｒが閉じていて、音声信号供給ライン２２Ｌ、２２Ｒが接続されており、ＳｏＣ４の音声信号供給端子４１Ｌ、４１Ｒから出力された音声信号は、アンプ５の音声信号入力端子５１Ｌ、５１Ｒへ入力される。すなわち、通常時には、ハイレベルのリセット信号を用いて、アンプ５の音声信号入力端子５１Ｌ、５１Ｒへの音声信号の入力が可能な状態にされている。
【００５６】
そして、減電時（減電検出部３が商用ＡＣ電源９０から供給される電圧の低下を検出したとき）には、ローレベルのリセット信号（減電検出部３が商用ＡＣ電源９０から供給される電圧の低下を検出したときに出力する信号）がリセット信号ライン２１からスイッチ制御ライン３１を経由してスイッチ１４Ｌ、１４Ｒに入力される。すなわち、スイッチ制御ライン３１からスイッチ１４Ｌ、１４Ｒに入力される電圧がローレベルなる。これにより、スイッチ１４Ｌ、１４Ｒが開き、音声信号供給ライン２２Ｌ、２２Ｒが切断され、ＳｏＣ４の音声信号供給端子４１Ｌ、４１Ｒから出力された音声信号のアンプ５の音声信号入力端子５１Ｌ、５１Ｒへの入力が遮断される。すなわち、減電時には、ローレベルのリセット信号を用いて、アンプ５の音声信号入力端子５１Ｌ、５１Ｒへの音声信号の入力が遮断される。
【００５７】
また、減電時には、ローレベルのリセット信号によって、スイッチ１４Ｌ、１４Ｒが開いて、音声信号供給ライン２２Ｌ、２２Ｒが切断されることにより、アンプ５の音声信号入力端子５１Ｌに入力される電圧は、電源ライン２０ｂに供給される電圧を抵抗１６と抵抗１７により分圧された電圧となり、アンプ５の音声信号入力端子５１Ｒに入力される電圧は、電源ライン２０ｂに供給される電圧を抵抗１８と抵抗１９により分圧された電圧となる。これにより、アンプ５の音声信号入力端子５１Ｌ、５１Ｒは、中間電位（通常時に入力される音声信号の振幅中心レベル）になる。すなわち、減電時には、ローレベルのリセット信号を用いて、アンプ５の音声信号入力端子５１Ｌ、５１Ｒが中間電位にされる。スイッチ１４Ｌ、１４Ｒ、スイッチ制御ライン３１、及び分圧回路１５によって、中間電位入力手段が構成されている。中間電位入力手段は、減電検出部３が供給電力の低下を検出したときに、音声信号が入力される増幅器（アンプ５）の音声信号入力端子５１Ｌ、５１Ｒを中間電位にする。
【００５８】
本実施形態の音声信号処理装置１によれば、上記第１の実施形態と同様に、商用ＡＣ電源９０から供給される電圧が低下すると、ソフトミュート時間が通常時のソフトミュート時間よりも短い時間に切換えられる。これにより、商用ＡＣ電源９０から供給される電圧が低下して、ノイズ音の原因となる信号がアンプ５の音声信号入力端子５１Ｌ、５１Ｒに入力されても、ノイズ音が発生するのを防止することができる。
【００５９】
しかも、本実施形態の音声信号処理装置１によれば、アンプ５の音声信号入力端子５１Ｌ、５１Ｒへの音声信号の入力が遮断されることにより、ノイズ音の原因となる信号がアンプ５の音声信号入力端子５１Ｌ、５１Ｒに入力されるのを防ぐことができ、ノイズ音が発生するのを防止することができる。また、アンプ５の音声信号入力端子５１Ｌ、５１Ｒが中間電位にされることにより、ノイズ音の原因となる信号がアンプ５の音声信号入力端子５１Ｌ、５１Ｒに入力されるのを防ぐことができ、ノイズ音が発生するのを防止することができる。
【００６０】
なお、本発明は、上記各実施形態の構成に限られず、種々の変形が可能である。例えば、上記第１及び第２の実施形態において、他の構成によって、減電時に、ソフトミュート時間を通常時のソフトミュート時間よりも短い時間に切換えるようにしてもよい。また、上記第２の実施形態において、上記第１の実施形態と同様に、減電時に、ローレベルのリセット信号を用いて、アンプのミュート信号入力端子にローレベルのミュート信号が入力されるようにしてもよい。また、上記第２の実施形態において、通常時には、分圧抵抗を電源ラインから切断するようにしてもよい。また、本発明は、テレビジョン受信装置に限られず、ＤＶＤレコーダやパーソナルコンピュータなどの電気機器にも適用可能である。
【符号の説明】
【００６１】
１    音声信号処理装置
２    電源回路
２ａ    ＡＣコンセント
３    減電検出部
４    ＳｏＣ
５    アンプ
６    時定数切換回路
７    コンデンサ
８    コンデンサ
９    トランジスタ
１０Ｌ、１０Ｒ    スピーカ
１１Ｌ、１１Ｒ    フィルタ
１２Ｌ、１２Ｒ    コンデンサ
１３    反転回路
１４Ｌ、１４Ｒ    スイッチ
１５    分圧回路
１６、１７、１８、１９    抵抗
２０ａ、２０ｂ    電源ライン
２１    リセット信号ライン
２２Ｌ、２２Ｒ    音声信号供給ライン
２３    ミュート信号ライン
２４Ｌ、２４Ｒ    音声信号出力ライン
２５    時定数設定ライン
２６    切換制御ライン
２７    電圧入力ライン
２８    減電時信号ライン
２９    トランジスタ制御ライン
３１    スイッチ制御ライン
４１Ｌ、４１Ｒ    音声信号供給端子
４２    ミュート信号出力端子
４３    リセット信号入力端子
５１Ｌ、５１Ｒ    音声信号入力端子
５２Ｌ、５２Ｒ    音声信号出力端子
５３    ミュート信号入力端子（制御信号入力端子）
５４    時定数設定端子
５９    切換制御端子
【図１】
2013236118.tif 000003
【図２】
2013236118.tif 000004
【図３】
2013236118.tif 000005